(57)【要約】本特許出願は、物理的領域（１）におけるメディア配布システム及び方法に関する。このシステムは、物理的領域（１）において、そこを訪れるユーザにより携行可能であり、少なくとも一つの一意的に識別可能な第１タイプのタグ（２）と、物理的領域（１）におけるメディアアクセスポイントを識別する、少なくとも一つの一意的に識別可能な第２タイプのタグ（３）とを備える。さらにこのシステムには、管理システム（４）と、通信手段（５，７，８）とが備えられる。前記有形の第１及び第２タイプのタグ（２，３）の少なくとも一つは、互いにごく近接した第１タイプ及び第２タイプのタグ（２，３）の組み合わせを認識する手段（６）を有し、これらタグに関連する情報を前記管理システム（４）に対して伝達する。管理システム（４）は、受信した情報により決定されるメディアの、前記タグのいずれかに関連づけられた通信手段（７，８）への配布によって前記情報に応答するように構成される。
2005533310.tif 000002
【特許請求の範囲】
【請求項１】
物理的領域（１）におけるメディア配布システムであって、
前記物理的領域（１）において、そこを訪れるユーザにより携帯可能であり、少なくとも一つの一意的に特定可能な有形の第１タイプのタグ（２）と、
前記物理的領域（１）におけるメディアアクセスポイントを特定する、少なくとも一つの一意的に特定可能な有形の第２タイプのタグ（３）と、
管理システム（４）と、
通信手段（５，７，８）とを備え、
前記有形の第１及び第２タイプのタグ（２，３）の少なくとも一つは、互いにごく近接した、有形の第１及び第２タイプのタグ（２，３）の組み合わせを特定する手段（６）を有し、これら有形のタグに関連する情報を前記管理システム（４）に対して通信し、
前記管理システム（４）は、受信した情報により決定されるメディアの、前記有形のタグのいずれかに関連づけられた通信手段（７，８）への配布によって前記情報に対して応答するように構成されることを特徴とするメディア配布システム。
【請求項２】
前記管理システム（４）に関連づけられたイベントマネージャをさらに備え、
コンピュータ可読のイベントが、前記管理システム（４）に伝達される、互いにごく近接した有形のタグ（２，３）を特定する情報に組み込まれていることを特徴とする請求項１に記載のシステム。
【請求項３】
前記管理システム（４）は、有形の第１タイプのタグ（２）のひとつに結びつけられた通信手段（７）に統合されていることを特徴とする請求項１に記載のシステム。
【請求項４】
前記有形の第１タイプのタグ（２）は、ユーザのＩＤを決定する手段を備えることを特徴とする請求項１に記載のシステム。
【請求項５】
前記管理システム（４）は、ユーザ活動の統計を収集して集計することを特徴とする請求項１に記載のシステム。
【請求項６】
物理的領域（１）におけるメディア配布方法であって、
前記物理的領域（１）において、そこを訪れるユーザにより携行可能であり、少なくとも一つの一意的に特定可能な有形の第１タイプのタグ（２）を用意する工程と、
前記物理的領域（１）におけるメディアアクセスポイントを特定する、少なくとも一つの一意的に特定可能な有形の第２タイプのタグ（３）を用意する工程と、
管理システム（４）を用意する工程と、
通信手段（５，７，８）を用意する工程と、
互いにごく近接した有形の第１及び第２タイプのタグ（２，３）の組み合わせを特定する手段（６）と、これら有形のタグに関連する情報を前記管理システム（４）に対して伝達する手段とを有する、前記有形の第１及び第２タイプのタグ（２，３）を少なくとも一つ用意する工程と、
前記管理システム（４）を、受信した情報により決定されるメディアの、前記有形のタグのいずれかに関連づけられた通信手段（７，８）への配布によって前記情報に応答するよう構成する工程とを備えることを特徴とする方法。
【請求項７】
前記管理システム（４）にイベントマネージャを関連づける工程と、
コンピュータ可読のイベントを、前記管理システム（４）に伝達される、互いにごく近接した前記有形のタグ（２，３）を特定する情報に組み込む工程とをさらに備えることを特徴とする請求項６に記載の方法。
【請求項８】
前記管理システム（４）を、有形の第１タイプのタグ（２）のひとつに結びつけられた通信手段（７）に統合する工程をさらに備えることを特徴とする請求項６に記載の方法。
【請求項９】
ユーザのＩＤを決定する手段を有する前記有形の第１タイプのタグ（２）を用意する工程をさらに備えることを特徴とする請求項６に記載の方法。
【請求項１０】
ユーザ活動の統計を収集して集計する手段を有する前記管理システム（４）を用意する工程をさらに備えることを特徴とする請求項６に記載の方法。
【発明の詳細な説明】
【技術分野】
【０００１】
本特許出願は、請求項１の前文の通り、物理的領域におけるメディアを配布するためのシステムに関する。特に、本特許出願はその物理的領域への訪問者であるユーザに適合したメディアを配布するシステムに関する。本特許出願はまた、請求項６の前文の通り、物理的領域におけるメディア配布の方法にも関する。特に、本特許出願は、その物理的領域への訪問者であるユーザに適合したメディアを配布する方法に関する。
【背景技術】
【０００２】
近年、有形メディアをコンピュータネットワークに結びづける提案がされている。
【０００３】
有形のメディアをコンピュータネットワークに結びつけることができる、異なる多くのシステムが開発されている。そのようなシステムのひとつが、ＵＳ２００１００２１９５０を通して既に知られている。それによれば、コンピュータネットワークとの相互作用（インタラクション）は、小型のカードやディスク、小型の日用品、玩具や製品容器等の有形のトークンに基づいて、円滑になったり、あるいは制限される。ここでトークンは、機械により読みとり可能な表示、すなわち、トークンを特定し、タグリーダによって無線で読み出せる「タグ」を含む。タグリーダは、ひとつのノードとしてネットワークに接続されたコンピュータにＩＤを伝達する。コンピュータはそれに応じてトークンに基づいたネットワークアクセス基準を決定して実施する。そのコンピュータは、トークンのＩＤを関連するネットワークアクセス基準に結びつけるデータベースを保守し、ＩＤが与えられた場合に、データベースを調べる。そのアクセス基準は、コンピュータとネットワークとの間の相互作用を管理する情報を特定し、接続の開始やその制限に役立つ。
【発明の開示】
【発明が解決しようとする課題】
【０００４】
しかしながら、上記システムは前記コンピュータにアクセス基準を提供することにのみ関連するものである。
【０００５】
本発明の目的のひとつは、物理的領域においてメディアを配布できるシステムを提供することにある。この目的は請求項１で特徴づけられる部分に基づくシステムによって達成される。
【０００６】
本発明の他の目的は、物理的領域においてメディアを配布できる方法を提供することにある。この目的は請求項６で特徴づけられる部分に基づく方法によって達成される。
【０００７】
好適な実施形態は従属請求項に記載されている。
【０００８】
以下、本発明を、添付図面を参照してよりいっそう詳細に説明する。
【０００９】
本発明の他の目的及び特徴は、添付した図面と併せて考慮される以下の詳細な説明から明らかになる。しかしながら、図面は図解のためのみに図案化されており、本発明を限定するものではなく、そのためには添付した特許請求の範囲を参照すべきことは理解されるはずである。また、図面は必ずしも一定の比率に拡大して描かれておらず、他の表示がない場合には、ここに述べる構造及び手続きを概念的に図説することを目的とするにすぎない。
【発明を実施するための最良の形態】
【００１０】
図１は物理的領域１内におけるメディア配布システムを示す。本発明の好適な実施形態においては、このシステムは一意的に識別可能な第１タイプのタグ２を有する。タグ２は、前記物理的領域１で、その訪問者であるユーザにより持ち運ぶことができる。別の第１タイプのタグを、同じ物理的領域への訪問者である別のユーザにより持ち運ぶことができるが、明瞭化のために図１には一つだけ示した。また、一意的に特定可能な複数の第２タイプのタグ３が、前記物理的領域１内の異なる場所または物理的なオブジェクトに設けられており、物理的領域１内におけるメディアアクセスポイントを特定している。また、その第２タイプのタグ３を設けることのできる物理的なオブジェクトは、移動可能であるか、さもなければ物理的領域１内においてその位置を変えられるようになっている。通信手段５と結びつけられている管理システム４は、システムにより提供されている。前記第１または第２タイプのタグ２，３の少なくともひとつは、互いにごく近接した第１及び第２タイプのタグの組み合わせを特定するための手段（図１において相互接続矢印６で表されている。）を有する。これらの手段６は、赤外線手段（たとえばＩＲＤＡ）や、小電力無線周波（ＲＦ）通信手段（たとえばブルートゥースあるいは無線ローカルエリアネットワーク（ＷＬＡＮ）通信手段や無線周波ＩＤ（ＲＦＩＤ）通信手段）として実現可能である。これらはまた、バーコードリーダと印刷されたバーコードのようなリーダと識別子の組み合わせとして、あるいは、数字キーボードのようなマニュアル入力装置と印刷されたコードとしても実現できる。さらに別の代替物として、これら手段６は、生体センサとユーザの体の部分の組み合わせ（たとえば指紋リーダとユーザの指、または網膜認識装置と利用者の目）としても実現可能である。互いにごく近接しているタグの組み合わせが特定されたなら、これらのタグに関する情報を、タグ２，３のいずれかに結びついた通信手段７，８を用いて管理システム４に伝達することができる。図１においてはこの通信は破線矢印９，１０のいずれかで表されている。この情報を伝達すべきかユーザに決定させることも可能である。自動近接検出の場合、管理システム４に対して情報の伝達の承認をユーザに要求する必要があり得る。一方、リーダまたはマニュアル入力の場合には、その利用を承認そのものとして判断できる。この情報が管理システム４に受信されると、管理システムはこの情報に対して、受信した情報により決定されるメディア（たとえば第１タイプのタグ２により提供されるＩＤに基づいて個人化することが可能な第２タイプのタグ３によって決定されたメディアのセッション）をまとめ（compile）、タグ２，３のいずれかに結びついた通信手段７，８へ配布することによって応答するようになっている。個人化できる程度は、第１タイプのタグ２が特定のユーザに割り当てられている場合における第１タイプのタグ２と関連づけられた管理システムに提供されるデータの量により決定される。メディアの配布は図１の破線矢印９，１０のいずれかにより示されている。通信手段７，８は、通信手段に接続された個人携帯電話やパーソナルディジタルアシスタント、ラップトップ型パー��ナルコンピュータといった、ユーザにより持ち運ばれる第１タイプのタグ２と結びついた携帯通信手段７、すなわちユーザに対してメディアのプレゼンテーションを可能ならしめる手段に関連づけられた通信手段か、あるいは、関連する第２タイプのタグ３に結びつけられた通信手段８のいずれかであり得る。そして、これら後者の通信手段８はまた、視聴覚プレゼンテーション手段たとえばコンピュータ画面、オーディオシステム、ビデオプレゼンテーションシステム等といった、第２タイプのタグ３の近傍に配された、メディアをユーザに対してプレゼンテーションするための手段（不図示）と結びつけることもできる。この通信手段は接続されたシステムまたは無線ネットワークを通して通信可能にしてもよい。携帯通信手段７が携帯電話の場合、その携帯電話の加入者ＩＤモジュール（すなわちＳＩＭカード）から固有のタグＩＤを提供すること、またはその上、タグＩＤを関連づけることもできる。
【００１１】
もうひとつの実施形態においては、ソフトウエアイベント構造を拡張して、第２タイプのタグ３により表される有形オブジェクトまたは場所を、イベントのキャリヤまたはアクティベータとして含ませることが考えられる。これは、コンピュータ読みとり可能なイベントを第２タイプのタグ３に埋め込み、それらをイベントマネージャプロセスに送信させることで達成される。イベントマネージャプロセスは、管理システム４に存在するか、または、携帯通信手段７に結びつけられている。携帯通信手段７は、第１タイプのタグ２や、第２タイプのタグ３に結びつけられた通信手段８にも関連づけられる。この結果、以前のイベント構造の知識なしに、イベントをアクティベートしてイベントマネージャに送信できる。
【００１２】
さらに他の実施形態によれば、管理システム４を、管理システム４を携帯通信手段７にダウンロードして実行することによって、第１タイプのタグ２に結びつけられた個人携帯電話といった携帯通信手段７に統合することも考えられる。通信手段７はまた、音声または視聴覚メディアを見せる手段を有するか、あるいはそれと結びつけることができる。
【００１３】
さらに他の実施形態においては、ユーザＩＤの判定を容易にする手段（不図示）を有する第１タイプのタグ２をシステムに与えることが考えられる。これは、第１タイプのタグ２、あるいはそれに加えて結びつけられた通信手段７に、生体センサ（たとえば指紋リーダあるいは網膜認識装置）やスマートＩＤカードのＩＤ情報のリーダなどのような識別手段を与えることで達成される。
【００１４】
さらに他の実施形態によれば、管理システム４は、ユーザ活動の間の統計データを収集してまとめる手段（不図示）を有することが考えられる。この結果、個人化された文書や、ユーザがアクセスしたメディアの要約をプリントアウトや電子的に配布すること、及び適当な資料の提供が容易になる。この統計は、おそらくシステムが販売エリア等において利用されている場合に、マーケティングのフィードバック及び、どのメディアが最も消費者の関心を引くかに関する情報提供するために役立つであろう。
【００１５】
図２は、物理的領域１においてメディアを配布するためのシステムの利用を説明する概略フロー図を示す。ここでは、選択された物理的領域１には、管理システム４およびシステムの異なる要素間の通信を提供する手段５，７，８に加えて、物理的領域１におけるメディアアクセスポイントを特定する、一意に特定可能な複数の第２タイプのタグ３が与えられていることが想定されている。図２の示すところによれば、したがってステップ１１は、一意に特定可能な第１タイプのタグ２をユーザに割り当てることによる、新しいユーザ活動（セッション）の開始を意味する。第１タイプのタグ２は物理的領域１の訪問者であるユーザにより物理的領域１で持ち歩くことができる、第１および第２タイプのタグ２，３の少なくともひとつには、互いにごく近接した第１及び第２タイプのタグの組み合わせを特定する手段が与えられている。ステップ１２は、フローチャートにおいて、タグの近接が判定され、かつ管理システム４に対する通信が認められたか否かに応じた選択経路を示す。後者の場合、システムは第１及び第２タイプのタグ２，３の組み合わせが互いに近接されているか認識する試みに戻る。前者の場合、互いにごく近接している判定されたタグに関する情報を管理システム４に伝達する。ステップ１３は、受信した情報により決定されたメディア（たとえば、第１タイプのタグ２により提供されるＩＤに基づいて個人化することが可能な第２タイプのタグ３により決定されたメディアのセッション）の、これらのタグのいずれかに結びつけられた通信手段７，８への配布によって、伝達された情報に応答する管理システム４を示している。ステップ１４は、互いにごく近接していると判定されたいずれかのタグに結びつけられた通信手段７，８によるメディアのセッションの受信を示している。そして、通信手段７，８に統合されているか、あるいは付加的に結合されたプレゼンテーション手段（不図示）を通してこのメディアはユーザに提示される。この結果、ユーザにより持ち運ばれる第１タイプのタグ２に結びつけられた通信手段７へか、あるいは第２タイプのタグ３により表されるメディアアクセスポイントに結びつけられた通信手段８へか，あるいはユーザへのその後のプレゼンテーションのために通信手段７，８の両方へのいずれかに、情報を配布することができる。ステップ１５では、ユーザがセッションを終了させることを希望しているか、あるいは別のメディアアクセスポイント３について、物理的領域１の見回りを再開することを希望しているかを判定する。後者の場合には、システムはステップ１２から再開される。一方前者の場合すなわちユーザがセッションを終了することを希望する場合には、セッションはステップ１６において、管理システム４がユーザセッションを通して収集したデータから統計をまとめて終了する。
【００１６】
以下は、このシステムが異なる物理環境においてどのように実施されるかを示す例である。
【００１７】
第１の例として示すのは、見本市および他の発表活動のような展示会およびイベント環境におけるメディア配布方法およびデータ収集である。同じ方法を、販売メディアへのアクセス、販売員の製品スペシャリストへの結びつけ、および、販売員および店舗における顧客ミーティングに基づいた販売に関する顧客情報の収集方法（小売り一般ではなく、特に国内または国際的な小売店チェーンに関する。）に利用可能である。以下のステップは、システムがどのように利用可能であるかの簡単な説明である。最初に、潜在的な顧客が販売員に近づくとする。販売員は、システムに新しいセッションを登録する、すなわち販売のセッションに第１タイプのタグ２を割り当て、潜在的な顧客を販売エリア１に案内する。販売員はまた、会員カードなどや、簡単に尋ねることで顧客ＩＤを登録することもできる。しかしながら、潜在的な顧客は名前が不明のままでもよい。潜在的な顧客および販売員は販売エリア内に置かれた製品に近づき、それについての話を始める。潜在的な顧客が製品について質問をしたとき、販売員は、製品あるいは展示ブースに設置された、または店舗内に置かれた場所タグ、すなわち第２タイプのタグ３に向かって第１タイプのタグ２を有するインタラクション装置を向ける。製品のタイプに応じて、それは多くの関係する第２タイプのタグ３を持っている。タグの組み合わせに関連する通信の承認によって、販売員は管理システム４に、どの製品あるいは製品の部分あるいは製品の特徴について彼らが話しているかを伝達する。ある第２タイプのタグ３はまた、価格や技術的な仕様、アニメーション、コマーシャル等のようなプレゼンテーションメディアを、第２タイプのタグ３により識別された販売場所に関連づけられたスクリーンやオーディオシステム、携帯電話、手持ちサイズのパーソナルコンピュータ（ＰＣ）等に指示する。このプレゼンテーションメディアは、有線あるいは無線ネットワークを介して、第２タイプタグ３に結びつけられた通信手段８へと配布される。販売員はこれを、正確な製品仕様を提示するため、および、より上級の情報を顧客に提示することを可能ならしめるための記憶支援として利用することができる。ある第２タイプのタグ３にはまた、世界のどこか他にある製品スペシャリストへの電話呼び出しまたはビデオ会議活動の指示を開始することをエンコードすることもできる。顧客が販売エリア１たとえば店舗や展示エリアを去ろうとしているとき、販売員はセッションを終了し、販売の打ち合わせからの統計の収集を開始し、個人のウエブサイトや印刷された文書、あるいは展示者または小売り業者の一般的なウエブサイトへのプロファイルといった、販売エリアにおける顧客セッションの個人化された文書のプリントアウトまたは電子的な配送を開始することができる。
【００１８】
他の例として、ユーザに、携帯電話などユーザ自身の通信装置を個人レベルのメディアの配布のために使用させる、美術館や旅行者の興味を引く場所のような物理的領域１内におけるメディア配布方法の例を示す。以下のステップではシステムがどのように利用可能かを簡単に説明する。ユーザはメディア配布サービスを要求し、一つまたは複数の通信装置７のネットワークＩＤ、たとえば携帯電話番号やネットワークカードアドレスを、管理システム４に入力する。システムは、物理的領域で持ち運び可能で、個人の通信装置７と結びつけられた有形の第１タイプのタグ２を提供する。ユーザは、場所タグ（たとえば第２タイプタグ３）がメディアアクセスポイントとして分散配置された物理的領域１を歩き回る。ユーザが興味のあるメディアアクセスポイントを見つけたとき、第１タイプのタグ２は、求められたメディアのセッションを活性化するために、メディアアクセスポイントを表す第２タイプのタグ３の近傍に持ち込まれる。第１タイプのタグＩＤおよび第２タイプのタグＩＤを含む情報が管理システム４に伝達される。管理システム４は、第２タイプのタグ３により特定されるメディアを通信装置７に対して配布することでシステムに応答する。ユーザは、ユーザの個人通信装置７にメディアを受信する。そのメディア自体が、ハイパーリンクの形式で新しいメディアへのより多くのアクセスポイントを含んでいることもある。セッションの終了時またはセッションの後、システムに、第１タイプのタグ２の固有の識別子によりシステムに対して識別された、ユーザが見たメディアの要約のまとめと、適当な資料の提供を要求してもよい。
【００１９】
上述した物理的領域１におけるメディアの配布方法は以下のステップを含む。物理的領域１において、そこの訪問者であるユーザにより持ち運ばれる、少なくともひとつの一意的に特定可能な第１タイプのタグ２を用意し、その物理的領域１内のメディアアクセスポイントを特定する、少なくともひとつの一意的に特定可能な第２タイプのタグ３を用意する。この方法はさらに、管理システム４を用意し、システムの構成要素間の通信を可能ならしめる通信手段５，７，８を用意するステップを有する。物理的領域１におけるメディアの配布を可能ならしめるために、この方法はまた、互いにごく近接した第１タイプ及び第２タイプのタグ２，３の組み合わせを特定する手段６と、これらタグに関連する情報を前記管理システム４に対して通信する手段とを有する、第１及び第２タイプのタグ（２，３）を少なくとも一つ用意し、システム４を、受信した情報により決定されるメディアの、タグのいずれかに関連づけられた通信手段７，８への配布によって、前記情報に応答するよう構成する工程も有する。第１タイプのタグ２により提供される固有のＩＤに基づいて、ユーザに対していずれかのメディアを個人化することができる。
【００２０】
物理的領域１におけるメディア配布方法の他の実施形態においては、この方法はさらに、前記管理システム４にイベントマネージャを関連づけるステップと、コンピュータ可読のイベントを、前記管理システム４に伝達された、互いにごく近接したタグ２，３を識別する情報に組み込むステップとをさらに備える。
【００２１】
物理的領域１におけるメディア配布方法のさらに他の実施形態によれば、この方法はさらに、管理システム４を、第１タイプのタグ２のひとつに関連づけられた通信手段７に統合するステップをさらに備える。この通信手段７は、個人携帯電話のような、第１タイプのタグ２に結びつけられた携帯通信装置７により構成することができる。通信装置７はオーディオあるいは視聴覚メディアを上映するための手段を有するか、あるいはそれと結びつけられていてもよい。
【００２２】
物理的領域１におけるメディア配布方法のさらに他の実施形態においては、この方法はさらに、ユーザのＩＤの決定を容易にする手段（不図示）を有する第１タイプのタグ２をシステムに提供するステップをさらに備える。これは、第１タイプのタグ２、あるいはそれに結びつけられた通信手段７に、生体センサ（たとえば指紋リーダあるいは網膜認識装置）やスマートＩＤカードのＩＤ情報のリーダなどのような識別手段を与えることで達成される。
【００２３】
物理的領域１におけるメディア配布方法のさらに他の実施形態によれば、この方法はさらに、ユーザセッションの統計を収集して集計する手段（不図示）を有する前記管理システム４を提供するステップをさらに備える。この結果、個人化された文書やユーザがアクセスしたメディアの要約を、プリントアウトあるいは電子的に配布すること、及び適当な資料の提供が容易になる。この統計は、おそらくシステムが販売エリア等において利用されている場合に、マーケティングのフィードバック及び、どのメディアが最も消費者の関心を引くかに関する情報提供するために役立つ。
【００２４】
本発明は上述した実施携帯に限定されるものではなく、特許請求の範囲内で変わり得るものである。
【００２５】
このため、好適な実施形態に適用された発明の基本的な新規な特徴を示し、説明し、指摘した間に、図示した装置の形式や詳細、およびその動作についての様々な省略および置換および変更を、本発明の精神から逸脱することなく当業者によりなしえることが理解されるはずである。たとえば、それら要素のすべての組み合わせ、および、実質的に同一の機能を実質的に同一の方法で行って、同一の結果を達成する方法のステップが、本発明の範囲に含まれることは明白に意図されている。さらに、開示された形式や発明の実施形態との関連において示され、また説明されている構造および構成要素および方法ステップは、一般的な設計上の選択事項として、他の開示されたあるいは説明されたあるいは示唆された形式または実施形態と結合することができることは認識されるべきである。それゆえ、添付した特許請求の範囲により示されるようにのみ限定されることが、その意図である。
【図面の簡単な説明】
【００２６】
【図１】本発明の第１の実施形態に基づくシステムの概略図である。
【図２】図１に基づく、物理的領域内におけるメディア配布システムの利用を図解した概略流れ図である。
【図１】
2005533310.tif 000003
【図２】
2005533310.tif 000004
【手続補正書】
【提出日】平成16年6月30日(2004.6.30)
【手続補正１】
【補正対象書類名】明細書
【補正対象項目名】０００１
【補正方法】変更
【補正の内容】
【０００１】
本特許出願は、物理的領域において、そこを訪れるユーザにより携行可能であり、少なくとも一つの一意的に特定可能な有形の第１タイプのタグと、前記物理的領域におけるメディアアクセスポイントを特定する、少なくとも一つの一意的に特定可能な有形の第２タイプのタグとを備えた、物理的領域におけるメディアを配布するためのシステムに関する。特に、本特許出願はその物理的領域への訪問者であるユーザに適合したメディアを配布するシステムに関する。本特許出願はまた、物理的領域において、そこを訪れるユーザにより携行可能であり、少なくとも一つの一意的に特定可能な有形の第１タイプのタグを提供する工程と、前記物理的領域におけるメディアアクセスポイントを特定する、少なくとも一つの一意的に特定可能な有形の第２タイプのタグを提供する工程とを備えた、物理的領域におけるメディア配布の方法にも関する。特に、本特許出願は、その物理的領域への訪問者であるユーザに適合したメディアを配布する方法に関する。
【手続補正２】
【補正対象書類名】明細書
【補正対象項目名】０００５
【補正方法】変更
【補正の内容】
【０００５】
本発明の目的のひとつは、物理的領域においてメディアを配布できるシステムを提供することにある。この目的は、物理的領域において、そこを訪れるユーザにより携行可能であり、少なくとも一つの一意的に特定可能な有形の第１タイプのタグと、前記物理的領域におけるメディアアクセスポイントを特定する、少なくとも一つの一意的に特定可能な有形の第２タイプのタグと、管理システムと、通信手段とを備え、前記有形の第１及び第２タイプのタグの少なくとも一つは、互いにごく近接した第１タイプ及び第２タイプのタグの組み合わせを特定する手段を有し、これら有形のタグに関連する情報を前記管理システムに対して伝達し、前記管理システムは、受信した情報により決定されるメディアの、有形のタグのいずれかに関連づけられた通信手段への配布によって前記情報に応答するように構成される、物理的領域におけるメディア配布システムによって達成される。
【手続補正３】
【補正対象書類名】明細書
【補正対象項目名】０００６
【補正方法】変更
【補正の内容】
【０００６】
本発明の他の目的は、物理的領域においてメディアを配布できる方法を提供することにある。この目的は、前記物理的領域において、そこを訪れるユーザにより携行可能であり、少なくとも一つの一意的に特定可能な有形の第１タイプのタグを用意する工程と、前記物理的領域におけるメディアアクセスポイントを特定する、少なくとも一つの一意的に特定可能な有形の第２タイプのタグを用意する工程と、管理システムを用意する工程と、通信手段を用意する工程と、互いにごく近接した第１タイプ及び第２タイプのタグの組み合わせを特定する手段と、これら有形のタグに関連する情報を前記管理システムに対して伝達する手段とを有する前記有形の第１及び第２タイプのタグを少なくとも一つ用意する工程と、前記管理システムを、受信した情報により決定されるメディアの、有形のタグのいずれかに関連づけられた通信手段への配布によって前記情報に応答するよう構成する工程とを備える、物理的領域におけるメディア配布方法によって達成される。
【手続補正４】
【補正対象書類名】図面
【補正対象項目名】図２
【補正方法】変更
【補正の内容】
【図２】
2005533310.tif 000005
【国際調査報告】
2005533310.tif 000006
2005533310.tif 000007